(57)【要約】【課題】  簡単な方法で外観を良好にさせる鍵盤楽器の鍵を提供することにある。【解決手段】  鍵盤楽器の鍵１０は、平板状の上壁１１、前壁１２及び側壁１３，１４を備え、下方を開放させて内部に空間を形成している。この鍵１０は、鍵盤楽器に組み付けた状態で、外部から見える部分（例えば、上壁１１及び前壁１２）と外部から見えない部分（例えば、側壁１３，１４）を有する。鍵１０の成形においては、まず、第１成形工程で、第1の金型内に樹脂を注入して鍵１０の外部から見える部分及び外部から見えない部分のうちの一方の部分を型成形する。次に、第２成形工程で、前記型成形した一方の部分を第２の金型内に挿入し、その後に第２の金型内に樹脂を注入して、鍵１０の外部から見える部分及び外部から見えない部分のうちの他方の部分を型成形することにより、上壁１１、前壁１２及び側壁１３，１４をインサート成形する。【選択図】  図３
2015203762.tif 000002
【特許請求の範囲】
【請求項１】
上面を水平に延設させた平板状の上壁、前記上壁の前端部から下方に延設された平板状の前壁、及び前記上壁の左右両端部から下方にそれぞれ延設された平板状の側壁を備え、下方を開放させて内部に空間を有するように形成されており、鍵盤楽器に組み付けた状態で外部から見える部分と外部から見えない部分を有する鍵盤楽器の鍵であって、
第1の金型内に樹脂を注入して前記鍵の外部から見える部分及び外部から見えない部分のうちの一方の部分を型成形し、次に、
前記型成形した鍵の一方の部分を第２の金型内に挿入し、その後に、前記第２の金型内に樹脂を注入して、前記鍵の外部から見える部分及び外部から見えない部分のうちの他方の部分を型成形することにより、前記鍵を形成するようにしたことを特徴とする鍵盤楽器の鍵。
【請求項２】
前記鍵は白鍵であり、
前記鍵の外部から見える部分は、前記鍵の上壁及び前壁であり、かつ
前記鍵の外部から見えない部分は、前記鍵の側壁である請求項１に記載した鍵盤楽器の鍵。
【請求項３】
前記鍵は黒鍵であり、
前記鍵の外部から見える部分は、前記鍵の上壁、前記鍵の前壁の上部及び前記鍵の側壁の上部であり、かつ
前記鍵の外部から見えない部分は、前記鍵の前壁の下部及び前記鍵の側壁の下部である請求項１に記載した鍵盤楽器の鍵。
【請求項４】
前記鍵の外部から見える部分と外部から見えない部分との接続位置における前記鍵の外部から見えない部分の外面位置を、前記接続位置における前記鍵の外部から見える部分の外面位置よりも内側にしたことを特徴とする請求項１乃至３のうちのいずれか一つに記載した鍵盤楽器の鍵。
【請求項５】
前記鍵の外部から見えない部分を成形するための樹脂の硬度を、前記鍵の外部から見える部分を成形するための樹脂の硬度よりも低くしたことを特徴とする請求項１乃至４のうちのいずれか一つに記載した鍵盤楽器の鍵。
【請求項６】
前記鍵の外部から見える部分を成形するための樹脂の色を、前記鍵の外部から見えない部分を成形するための樹脂の色とは異ならせたことを特徴とする請求項１乃至５のうちのいずれか一つに記載した鍵盤楽器の鍵。
【請求項７】
前記鍵は、前記上壁及び側壁の後端よりも後方に設けられて支持部材に固定される支持部であって、押鍵時に変形して前記上壁の前端部を前記上壁の上面に対して垂直方向に搖動させるための支持部を備え、
前記支持部を前記鍵の外部から見えない部分と同時に型成形するようにしたことを特徴とする請求項１乃至６のうちのいずれか一つに記載した鍵盤楽器の鍵。
【請求項８】
前記支持部は、前記押鍵時に変形する一つ又は複数の変形部を有する請求項７に記載した鍵盤楽器の鍵。
【請求項９】
上面を水平に延設させた平板状の上壁、前記上壁の前端部から下方に延設された平板状の前壁、及び前記上壁の左右両端部から下方にそれぞれ延設された平板状の側壁を備え、下方を開放させて内部に空間を有するように形成されており、鍵盤楽器に組み付けた状態で外部から見える部分と外部から見えない部分を有する鍵盤楽器の鍵の製造方法であって、
第1の金型内に樹脂を注入して前記鍵の外部から見える部分及び外部から見えない部分のうちの一方の部分を型成形し、次に、
前記型成形した鍵の一方の部分を第２の金型内に挿入し、その後に、前記第２の金型内に樹脂を注入して、前記鍵の外部から見える部分及び外部から見えない部分のうちの他方の部分を型成形することにより、前記鍵を形成するようにしたことを特徴とする鍵盤楽器の鍵の製造方法。
【発明の詳細な説明】
【技術分野】
【０００１】
本発明は、平板状の上壁、前壁及び側壁を備え、下方を開放させて内部に空間を形成した鍵盤楽器の鍵、並びに前記鍵盤楽器の鍵の製造方法に関する。
【背景技術】
【０００２】
従来から、平板状の上壁、上壁の前端から下方に延設された平板状の前壁、及び上壁の左右両端から下方にそれぞれ延設された側壁を備え、下方を開口させて内部に空間を形成した鍵盤楽器の鍵はよく知られている。この種の鍵は、例えば下記特許文献１乃至３に示されているように、金型を用いて樹脂を一体成形することにより製造される。
【先行技術文献】
【特許文献】
【０００３】
【特許文献１】特開２００８−１９１６５０号公報
【特許文献２】特開２００９−１０３９０９号公報
【特許文献３】特開２０１０−２８６６９４号公報
【発明の概要】
【０００４】
上記従来の鍵盤楽器の鍵は、上壁、前壁及び側壁を備えていて、全体では比較的大きなものである。したがって、鍵を金型を用いて一体成形する際には、樹脂の流れが複雑かつ長くなり、ウエルドライン、フローマークなどが発生し易く、鍵の外観を悪化させることがある。特に、白鍵のように前後方向に長い鍵においては、鍵の奥から樹脂を注入した場合、樹脂は上壁及び側壁に対応する部分から前壁に対応する部分にそれぞれ流れ込み、前壁にはウエルドラインが発生し易い。また、鍵の内部にスイッチを動作させるためのアクチュエータ部であるリブがある場合、上壁の上面にヒケが発生し、外観を悪化させることがある。
【０００５】
この問題を解決する手法としては、鍵の外部から見える部分のみを成形した後に、鍵の外部から見えない部分を張り合わせることも考えられる。しかしながら、この方法では、鍵の外部から見えない部分の取り付け加工に大変な手間がかかるうえ、鍵の外部から見える部分と外部から見えない部分の接続位置の外観を考慮すると、鍵の外部から見えない部分における高い部品精度、及び鍵の外観向上のための加工を施す必要がある。
【０００６】
本発明は、このような問題に対処するためになされたもので、その目的は、簡単な方法で外観を良好にさせる鍵盤楽器の鍵を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明の特徴は、上面を水平に延設させた平板状の上壁（１１，２１）、上壁の前端部から下方に延設された平板状の前壁（１２，２２）、及び上壁の左右両端部から下方にそれぞれ延設された平板状の側壁（１３，１４，２３，２４）を備え、下方を開放させて内部に空間を有するように形成されており、鍵盤楽器に組み付けた状態で外部から見える部分（１１，１２，２１，２２ａ，２３ａ，２４ａ）と外部から見えない部分（１３，１４，２２ｂ，２３ｂ，２４ｂ）を有する鍵盤楽器の鍵（１０，２０）であって、第1の金型（３１Ａ，３１Ｂ，３３Ａ，３３Ｂ，４１Ａ，４１Ｂ，４３Ａ，４３Ｂ）内に樹脂を注入して鍵の外部から見える部分及び外部から見えない部分のうちの一方の部分を型成形し、次に、前記型成形した鍵の一方の部分を第２の金型内（３２Ａ，３２Ｂ，３４Ａ，３４Ｂ，４２Ａ，４２Ｂ，４４Ａ，４４Ｂ）に挿入し、その後に、第２の金型内に樹脂を注入して、鍵の外部から見える部分及び外部から見えない部分のうちの他方の部分を型成形することにより、鍵を形成するようにしたことにある。
【０００８】
この場合、鍵が白鍵（１０）であれば、鍵の外部から見える部分は、鍵の上壁（１１）及び前壁（１２）であり、かつ鍵の外部から見えない部分は、鍵の側壁（１３，１４）である。また、鍵が黒鍵（２０）であれば、鍵の外部から見える部分は、鍵の上壁（２１）、鍵の前壁の上部（２２ａ）及び鍵の側壁の上部（２３ａ，２４ａ）であり、かつ鍵の外部から見えない部分は、鍵の前壁の下部（２２ｂ）及び鍵の側壁の下部（２３ｂ，２４ｂ）である。
【０００９】
このように構成した本発明の特徴においては、鍵の外部から見える部分（白鍵では上壁及び前壁、黒鍵では上壁、前壁の上部及び側壁の上部）と見えない部分（白鍵では側壁、黒鍵では前壁の下部及び側壁の下部）とを第1及び第２の金型を用いて別成形するようにした。これにより、鍵の外部から見える部分の成形時には、鍵の外部から見える部分しか存在しないので、樹脂の流れが単純かつ短くなり、成形される上壁及び前壁には、ウエルドライン、フローマークなどが発生することがなくなる。特に、鍵の奥から樹脂を注入した場合でも、白鍵の場合には、樹脂は上壁に対応する部分のみから前壁に対応する部分に流れ込み、前壁にはウエルドラインが発生しない。また、黒鍵の場合には、上壁、前壁の上部及び側壁の上部の長さは短く、前壁の上部の横方向の幅も短いので、前壁にはウエルドラインが発生しない。さらに、鍵の内部にスイッチを動作させるためのアクチュエータ部（１８，２８）であるリブがある場合でも、リブを鍵の外部から見える部分の成形とは別成形すれば、上壁とリブが同時に成形されるわけではないので、上壁の上面にヒケも発生しない。さらに、鍵の外部から見える部分と見えない部分との順次成形により、鍵の外部から見える部分と外部から見えない部分とは一体的となり、鍵の外部から見える部分と見えない部分との接続加工を行う必要がなく、簡単な方法で鍵盤楽器の鍵の外観を良好にすることができる。
【００１０】
また、本発明の他の特徴は、鍵の外部から見える部分と見えない部分との接続位置における鍵の外部から見えない部分の外面位置を、前記接続位置における鍵の外部から見える部分の外面位置よりも内側にしたことにある。これによれば、鍵の外部から見えない部分又は見える部分の成形時に多少の誤差があっても、鍵の外部から見えない部分の外面は鍵の外部から見える部分の外面の内側に位置することになるので、鍵の外部から見えない部分などの仕上げ加工を必要とせず、見栄えを良好に保つことができる。
【００１１】
また、本発明の他の特徴は、鍵の外部から見えない部分を成形するための樹脂の硬度を、鍵の外部から見える部分を成形するための樹脂の硬度よりも低くしたことにある。例えば、鍵の外部から見えない部分を成形時には、鍵の外部から見える部分の成形時よりも、比較的弾性に富んだ樹脂材料（ゴム成分の多いＡＢＳ材料、ゴム材料など）を用いるとよい。これによれば、鍵の外部から見えない部分（白鍵では側壁、黒鍵では前壁の下部及び側壁の下部）の硬度は、鍵の外部から見える部分（白鍵では上壁及び前壁、黒鍵では上壁、前壁の上部及び側壁の上部）の硬度に比べて低くなり、鍵の外部から見えない部分に制振機能を持たせることができる。樹脂製の鍵では、演奏時に爪が当たると、「ガツン」という木製の鍵に比べて違和感のある音が発生するが、このような違和感のある音を鍵の外部から見えない部分の制振機能により抑制することができる。
【００１２】
また、本発明の他の特徴は、鍵の外部から見える部分を成形するための樹脂の色を、鍵の外部から見えない部分を成形するための樹脂の色とは異ならせたことにある。例えば、鍵の外部から見える部分の成形時に金型（第1又は第２の金型）内に注入される樹脂の色は、白鍵であれば白であり、黒鍵であれば黒であるが、鍵の外部から見えない部分の成形時に金型（第２又は第１の金型）内に注入される樹脂の色を木材と同様な色にすれば、鍵の外部から見えない部分（白鍵では側壁、黒鍵では前壁の下部及び側壁の下部）は木材の色となる。これによれば、木製の鍵と外観を同じにすることができる。また、鍵の外部から見えない部分の成形時に金型内に注入される樹脂の色を木材と同様な色にしない場合でも、鍵の外部から見える部分（白鍵では上壁及び前壁、黒鍵では上壁、前壁の上部及び側壁の上部）と異ならせた美的に変化に富んだ鍵が成形される。
【００１３】
また、本発明の他の特徴は、鍵は、上壁及び側壁の後端よりも後方に設けられて支持部材に固定される支持部（１６，１７，２６，２７）であって、押鍵時に変形して上壁の前端部を上壁の上面に対して垂直方向に搖動させるための支持部を備え、支持部を鍵の外部から見えない部分と同時に型成形するようにしたことにある。これによれば、支持部を有する鍵においても、支持部は鍵の外部から見える部分とは別途成形されるので、前記と同様に、鍵の外部から見える部分の成形における樹脂の流れが単純かつ短くなり、簡単な方法で鍵の外観を良好にすることができる。
【００１４】
また、この場合、前記本発明の他の特徴のように、鍵の外部から見えない部分の成形時に金型内に注入される樹脂の硬度が、鍵の外部から見える部分の成形時に金型内に注入される樹脂の硬度よりも低くければ、支持部は弾性変形し易くなる。鍵の外部から見える部分（白鍵では上壁及び前壁、黒鍵では上壁、前壁の上部及び側壁の上部）の成形においては、傷防止のために、硬度の高い樹脂が用いられる。したがって、この支持部の成形においても、鍵の外部から見える部分の成形時に金型に注入した樹脂と同じ樹脂が用いられると、支持部の曲げ剛性が高くなってしまい、押鍵時における鍵のタッチ感が悪化する。しかし、鍵の外部から見えない部分の成形時（すなわち支持部の成形時）に金型内に注入される樹脂の硬度を低くすれば、支持部は弾性変形し易くなり、押鍵時における鍵のタッチ感が良好となる。
【００１５】
また、前記本発明の他の特徴である支持部は、例えば、押鍵時に変形する一つ又は複数の変形部（１６，１６ａ，１６ｂ，２６）を有する。特に、複数の変形部を上下に有する場合には、一つの変形部を有する場合よりも、変形部の曲げ角度が大きくなるため、押鍵時における鍵のタッチ感が重くなる。したがって、この場合も、前記本発明の他の特徴のように、鍵の外部から見えない部分の成形時（すなわち支持部の成形時）に金型内に注入される樹脂の硬度が、鍵の外部から見える部分の成形時に金型内に注入される樹脂の硬度よりも低くければ、支持部は弾性変形し易くなり、押鍵時における鍵のタッチ感が良好となる。
【００１６】
なお、本発明の実施にあたっては、鍵盤楽器の鍵の発明に限定されることなく、鍵盤楽器の鍵の製造方法の発明としても実施し得るものである。
【図面の簡単な説明】
【００１７】
【図１】本発明の一実施形態に係る鍵盤楽器における第1乃至第３グループに属する複数の鍵の平面図である。
【図２】図１の第１グループに属する複数の白鍵の平面図である。
【図３】（Ａ）は図２の３Ａ−３Ａ線に沿って見た白鍵の縦断面図であり、（Ｂ）は図２及び図３（Ａ）の３Ｂ−３Ｂ線に沿って見た白鍵の拡大縦断面図である。
【図４】（Ａ）は白鍵の外観部を成形するための第１成形工程における白鍵の前後方向に沿った金型及び白鍵の一部の縦断面図であり、（Ｂ）は図４（Ａ）の４Ｂ−４Ｂ線に沿って見た金型及び白鍵の一部の拡大縦断面図である。
【図５】（Ａ）は白鍵の非外観部を成形するための第２成形工程における白鍵の前後方向に沿った金型及び白鍵の縦断面図であり、（Ｂ）は図５（Ａ）の５Ｂ−５Ｂ線に沿って見た金型及び白鍵の拡大縦断面図である。
【図６】図１の第３グループに属する複数の黒鍵の平面図である。
【図７】（Ａ）は図６の７Ａ−７Ａ線に沿って見た黒鍵の縦断面図であり、（Ｂ）は図７（Ａ）のＸ部の拡大図であり、（Ｃ）は図６及び図７（Ａ）の７Ｃ−７Ｃ線に沿って見た黒鍵の拡大縦断面図である。
【図８】（Ａ）は黒鍵の外観部を成形するための第１成形工程における黒鍵の前後方向に沿った金型及び黒鍵の一部の縦断面図であり、（Ｂ）は図８（Ａ）の８Ｂ−８Ｂ線に沿って見た金型及び黒鍵の一部の拡大縦断面図である。
【図９】（Ａ）は黒鍵の非外観部を成形するための第２成形工程における黒鍵の前後方向に沿った金型及び黒鍵の縦断面図であり、（Ｂ）は図９（Ａ）の９Ｂ−９Ｂ線に沿って見た金型及び黒鍵の拡大縦断面図である。
【図１０】（Ａ）は、白鍵の他の成形方法に係り、白鍵の非外観部を成形するための第１成形工程における白鍵の前後方向に沿った金型及び白鍵の一部の縦断面図であり、（Ｂ）は図１０（Ａ）の１０Ｂ−１０Ｂ線に沿って見た金型及び白鍵の一部の拡大縦断面図である。
【図１１】（Ａ）は、前記白鍵の他の成型方法に係り、白鍵の外観部を成形するための第２成形工程における白鍵の前後方向に沿った金型及び白鍵の縦断面図であり、（Ｂ）は図１１（Ａ）の１１Ｂ−１１Ｂ線に沿って見た金型及び白鍵の拡大縦断面図である。
【図１２】（Ａ）は、黒鍵の他の成形方法に係り、黒鍵の非外観部を成形するための第１成形工程における黒鍵の前後方向に沿った金型及び黒鍵の一部の縦断面図であり、（Ｂ）は図１２（Ａ）の１２Ｂ−１２Ｂ線に沿って見た金型及び黒鍵の一部の拡大縦断面図である。
【図１３】（Ａ）は、前記黒鍵の他の成形方法に係り、黒鍵の外観部を成形するための第２成形工程における黒鍵の前後方向に沿った金型及び黒鍵の縦断面図であり、（Ｂ）は図１３（Ａ）の１３Ｂ−１３Ｂ線に沿って見た金型及び黒鍵の拡大縦断面図である。
【図１４】（Ａ）は変形例に係る白鍵の図３（Ａ）に対応した縦断面図であり、（Ｂ）は図１４（Ａ）のＡ部の拡大縦断面図であり、（Ｃ）は図１４（Ａ）のＡ部の拡大平面図である。
【発明を実施するための形態】
【００１８】
以下、本発明の一実施形態について図面を用いて説明する。図１は、鍵盤楽器における第1乃至第３グループ１０Ａ，１０Ｂ，２０Ａにそれぞれ属する複数の白鍵１０及び黒鍵２０の平面図である。図２は、第１グループ１０Ａに属する複数の白鍵１０の平面図である。図６は、第３グループ１０Ａに属する複数の黒鍵２０の平面図である。なお、図１、図２及び図６においては、白鍵１０及び黒鍵２０の前後方向を紙面の左右方向とし、白鍵１０及び黒鍵２０の左右方向（横方向）を紙面の上下方向とする。
【００１９】
本実施形態においては、１オクターブ内にある隣合うことのない複数の白鍵１０及び黒鍵２０を第１乃至第３グループ１０Ａ，１０Ｂ，２０Ａにそれぞれ分けて、第１乃至第３グループ１０Ａ，１０Ｂ，２０Ａごとに一体成形されている。第１グループ１０Ａに属する白鍵１０は、４つの音名Ｃ，Ｅ，Ｇ，Ｂに対応している。第２グループ１０Ｂに属する白鍵１０は、３つの音名Ｄ，Ｆ，Ａに対応している。第３グループ２０Ａに属する黒鍵２０は、５つの音名Ｃ＃，Ｄ＃，Ｆ＃，Ｇ＃，Ａ＃に対応している。
【００２０】
まず、図２に示す第１グループ１０Ａに属する白鍵１０について図面を用いて説明する。図３（Ａ）は図２の３Ａ−３Ａ線に沿って見た白鍵１０の縦断面図であり、図３（Ｂ）は図２及び図３（Ａ）の３Ｂ−３Ｂ線に沿って見た白鍵１０の拡大縦断面図である。
【００２１】
白鍵１０は、上壁１１、前壁１２、側壁１３，１４及び後壁１５を備え、樹脂により一体成形されている。上壁１１は前後方向に長尺の平板状に構成され、その上面及び下面は水平面内にて延設されている。ただし、上壁１１においては、前側部分の左右方向の幅は後側部分の左右方向の幅よりも広く、中間部分には段部が設けられている。前壁１２は、方形の平板状に構成され、上壁１１の前端から垂直かつ下方に延設されている。側壁１３，１４も、前後方向に長尺の平板状に構成され、上壁１１の左右両端から垂直かつ下方にそれぞれ延設されている。ただし、側壁１３，１４の大部分は前後方向に延設されているが、中間部分には、上壁１１の段部に対応した表面及び裏面を前後方向に直交させて左右方向に延設された段部１３ａ，１４ａが設けられている。なお、これらの段部１３ａ，１４ａも、本明細書では側壁１３，１４に含まれるものとする。後壁１５も、方形の平板状に構成され、上壁１１の後端から垂直かつ下方に延設されている。前壁１２は左右両端にて側壁１３，１４の前端部に接続されており、後壁１５は左右両端にて側壁１３，１４の後端部に接続されており、上壁１１、前壁１２、側壁１３，１４及び後壁１５は、内部に下方を開口させた段付きの方形状の空間を形成している。
【００２２】
また、この白鍵１０においては、側壁１３，１４の水平面内における外面は、上壁１１及び前壁の水平面内における外面位置よりも若干内側に位置している。すなわち、側壁１３，１４の前後方向に沿った横幅（すなわち側壁１３の外面（左側外面）と側壁１４の外面（右側外面）との左右方向の距離）は、前端から後端に渡って、上壁１１及び前壁１２の横幅（上壁１１の左右両端間の距離）よりも若干小さい。具体的には、図３（Ｂ）に示すように、前後方向の同じ位置において、側壁１３，１４の横幅をＤｓとするとともに、上壁１１の横幅をＤｕとすると、横幅Ｄｓ，ＤｕはＤｓ＜Ｄｕの関係にある。また、側壁１３，１４の段部１３ａ，１４ａの外面（後側外面）は、上壁１１の段部の前後位置よりも、若干前方に位置する。なお、後壁１５の後面は上壁１１の後端と同じである。また、上壁１１の前端部と前壁１２の左右方向の幅は等しい。
【００２３】
後壁１５の後面には、一体的に連続したヒンジ部１６及び固定部１７を有する。ヒンジ部１６は、上下方向に薄肉であって、各白鍵１０の後壁１５の後面からそれぞれ後方に延設されている。固定部１７は、前後方向の縦断面形状を長方形状として、左右方向に延設されており、その前面にヒンジ部１６の後端が接続されている。この固定部１７は、図示しない鍵盤楽器の鍵フレームに固定されるもので、左右方向の適宜箇所に固定用のネジを貫通させる貫通孔１７ａを有する。ヒンジ部１６は、固定部１７を鍵フレームに固定した状態で、押鍵時に上下方向に弾性変形して白鍵１０の前端の上下への揺動を許容するものである。なお、このヒンジ部１６が本発明の変形部に相当し、ヒンジ部１６及び固定部１７が本発明の支持部に相当する。
【００２４】
上壁１１の下面には、白鍵１０の前後方向の中間位置にて、アクチュエータ部１８が設けられている。アクチュエータ部１８は、横断面形状を十字状としており、その上端にて上壁１１の下面に接続されている。このアクチュエータ部１８は、固定部１７が鍵フレームに固定された状態で、鍵フレームに設けた図示しない鍵スイッチをオン・オフ動作させるものである。また、上壁１１の下面の一部には、側壁１３の上端部の内面とアクチュエータ部１８の上端部の一外端とを連結する連結部１９が設けられている（図３（Ｂ）参照）。この連結部１９は、後述する第２成形工程において、樹脂を上下金型３２Ａ，３２Ｂ内に注入した際に、側壁１３に対応する部分からアクチュエータ部１８に対応する部分に樹脂が流れ込むようにするための部分である。
【００２５】
次に、このように構成した複数の白鍵１０を金型を用いて成形することについて説明する。まず、第１成形工程について、図面を用いて説明する。図４（Ａ）は、白鍵１０の上壁１１及び前壁１２を成形するための第１成形工程における、白鍵１０の前後方向に沿った上下金型３１Ａ，３１Ｂ及び白鍵１０の一部の縦断面図である。図４（Ｂ）は、図４（Ａ）の４Ｂ−４Ｂ線に沿って見た上下金型３１Ａ，３１Ｂ及び白鍵１０の一部の拡大縦断面図である。なお、白鍵１０においては、上壁１１及び前壁１２は、白鍵１０を鍵盤楽器に組み付けた状態で外部から見える部分（トップ部）を構成するもので、本明細書では、外観部として説明する。また、白鍵１０においては、上壁１１及び前壁１２以外の部分、すなわち側壁１３，１４、後壁１５、ヒンジ部１６、固定部１７、アクチュエータ部１８及び連結部１９は、白鍵１０を鍵盤楽器に組み付けた状態で外部から見えない部分を構成するもので、本明細書では、非外観部として説明する。
【００２６】
図４（Ａ）及び図４（Ｂ）に示すように、上金型３１Ａ及び下金型３１Ｂ間に白鍵１０の外観部である上壁１１及び前壁１２を一体成形するための空間を形成した上金型３１Ａ及び下金型３１Ｂを用意する。そして、上金型３１Ａに設けた注入口３１Ａ１を介して、樹脂を注入することにより、上金型３１Ａ及び下金型３１Ｂ内に上壁１１及び前壁１２を成形した後、上金型３１Ａ及び下金型３１Ｂを上下方向に抜き取って上壁１１及び前壁１２を取り出す。この場合、注入口３１Ａ１は、図示位置でなくても、白鍵１０を鍵盤楽器に組み付けた状態で見えない位置であれば、適宜箇所に設ければよい。また、注入される樹脂は硬度の比較的高い樹脂が用いられ、樹脂の色は白鍵１０用の白である。
【００２７】
、
次に、第２成形工程について、図面を用いて説明する。図５（Ａ）は、白鍵１０の非外観部である側壁１３，１４、後壁１５、ヒンジ部１６、固定部１７、アクチュエータ部１８及び連結部１９を成形するための第２成形工程における白鍵１０の前後方向に沿った上下金型３２Ａ，３２Ｂ及び白鍵１０の縦断面図である。図５（Ｂ）は、図５（Ａ）の５Ｂ−５Ｂ線に沿って見た上下金型３２Ａ，３２Ｂ及び白鍵１０の拡大縦断面図である。なお、図５（Ａ）の縦断位置は、図２（Ａ）の３Ａ−３Ａ線に沿った縦断位置に対応している。
【００２８】
この第２成形工程においては、図５（Ａ）及び図５（Ｂ）に示すように、上金型３１Ａ及び下金型３１Ｂ間に、上壁１１及び前壁１２を含む白鍵１０を一体成形するための空間を形成した上金型３２Ａ及び下金型３２Ｂを用意する。この場合、まず、下金型３２Ｂの上面内部に、前記第１成形工程で成形した上壁１１及び前壁１２からなる成形品を挿入すなわち組み込む。次に、上金型３２Ａを位置決めして下金型３２Ｂ上に固定する。そして、上金型３２Ａに設けた注入口３２Ａ１を介して、樹脂を注入することにより、上金型３２Ａ及び下金型３２Ｂ内に、上壁１１及び前壁１２以外の側壁１３，１４、後壁１５、ヒンジ部１６、固定部１７、アクチュエータ部１８及び連結部１９を形成した後、上金型３２Ａ及び下金型３２Ｂを上下方向に抜き取って白鍵１０を取り出す。このインサート成形により、上壁１１及び前壁１２以外の側壁１３，１４、後壁１５、ヒンジ部１６、固定部１７、アクチュエータ部１８及び連結部１９が、前記第１成形工程で成形された上壁１１及び前壁１２と一体的に成形される。なお、この場合、アクチュエータ部１８は、注入した樹脂が側壁１３及び連結部１９に対応した空間（図に表れていない空間）を介して、アクチュエータ部１８に対応した部分に流れ込むことにより形成される。
【００２９】
この場合も、注入口３２Ａ１は、図示位置でなくても、白鍵１０を鍵盤楽器に組み付けた状態で見えない位置であれば、適宜箇所に設ければよい。また、この場合には、注入される樹脂の硬度は、前記第１成形工程で用いた樹脂の硬度よりも低く、比較的弾性に富んだ樹脂材料（例えば、ゴム成分の多いＡＢＳ材料、ゴム材料など）を用いるとよい。さらに、この場合の樹脂の色は、木製の鍵に似た色（例えば、茶色、黄色、黄茶色など）である。
【００３０】
前記実施形態による白鍵１０においては、第１成形工程とインサート成形である第２成形工程により、白鍵１０を一体成形したので、次のような効果が期待される。すなわち、第１成形工程では、側壁１３，１４、後壁１５、ヒンジ部１６、固定部１７、アクチュエータ部１８及び連結部１９を成形しないので、樹脂の流れが単純になり、成形される外観部である上壁１１及び前壁１２には、ウエルドライン、フローマークなどが発生しなくなる。特に、白鍵１０の奥から樹脂を注入した場合、白鍵１０の前後方向の長さが長く、かつ横幅がある程度大きくても、樹脂は上壁１１に対応する部分のみから前壁１２に対応する部分に流れ込み、前壁１２にはウエルドラインが発生しない。また、白鍵１０の内部にアクチュエータ部１８であるリブがあっても、上壁１１及び前壁１２の第１成形工程では、前記リブによるヒケが上壁１１には発生しない。さらに、第２成形工程において、非外観部である側壁１３，１４、後壁１５、ヒンジ部１６、固定部１７、アクチュエータ部１８及び連結部１９をインサート成形することにより、上壁１１及び前壁１２と一体成形するようにしたので、側壁１３，１４、後壁１５、ヒンジ部１６、固定部１７及びアクチュエータ部１８を、上壁１１及び前壁１２に取り付ける加工を行う必要がなく、簡単な方法で鍵盤楽器の白鍵１０の外観を良好にすることができる。
【００３１】
また、前記実施形態による白鍵１０では、非外観部である側壁１３，１４の水平面内における外面位置を、外観部である上壁１１及び前壁１２の水平面内における外面位置よりも内側に位置させるようにした。言い換えれば、少なくとも白鍵１０の外観部と白鍵１０の非外観部との接続位置における白鍵１０の非外観部の外面位置を、前記接続位置における白鍵１０の外観部の外面位置よりも内側にした。これによれば、第２成形工程において、インサート成形による側壁１３，１４の成形に多少の誤差があっても、側壁１３，１４は上壁１１及び前壁１２よりも内側に位置するので、側壁１３，１４を削るなどの仕上げ加工を必要とせず、見栄えを良好に保つことができる。
【００３２】
また、第１成形工程で用いる樹脂の硬度を比較的高くした。これにより、白鍵１０の上壁１１及び前壁１２の剛性が高まり、鍵盤楽器の組み立て後における上壁１１及び前壁１２の傷発生が防止され、白鍵１０の見栄えを良好に保つことができる。また、第２成形工程で用いる樹脂の硬度を、第１成形工程で用いた樹脂の硬度よりも低くして、側壁１３，１４及びヒンジ部１６を成形した。これによれば、側壁１３，１４の硬度は上壁１１及び前壁１２の硬度に比べて低くなり、側壁１３，１４に制振機能を持たせることができる。そして、演奏時に爪が当たると、「ガツン」という木製の鍵に比べて違和感のある音が発生するが、このような違和感のある音を前記側壁１３，１４の制振機能により抑制することができる。また、ヒンジ部１６は弾性変形し易くなり、押鍵時における白鍵１０のタッチ感が良好となる。
【００３３】
さらに、前記実施形態による白鍵１０においては、第２成形工程で用いる樹脂の色を、第１成形工程で用いられる白色とは異なる木製の鍵に似た色（例えば、茶色、黄色、黄茶色など）とした。これによれば、側壁１３，１４は木材の色となり、木製の鍵と外観を同じにすることができる。
【００３４】
なお、第２グループ１０Ｂに属する白鍵１０においては、白鍵１０の横方向の位置及び白鍵１０の平面形状が前記第１グループ１０Ａに属する白鍵１０とは多少異なるが、他の点では前記第１グループ１０Ａに属する白鍵１０と同じであるので、その説明を省略する。
【００３５】
次に、図６に示す第３グループ２０Ａに属する黒鍵２０について図面を用いて説明する。図７（Ａ）は図６の７Ａ−７Ａ線に沿って見た黒鍵２０の縦断面図であり、図７（Ｂ）は図７（Ａ）のＸ部の拡大図であり、図７（Ｃ）は図６及び図７（Ａ）の７Ｃ−７Ｃ線に沿って見た黒鍵２０の拡大縦断面図である。
【００３６】
黒鍵２０も、上壁２１、前壁２２、側壁２３，２４及び後壁２５を備え、樹脂により一体成形されている。上壁２１は前後方向に長尺の平板状に構成され、その上面及び下面は水平面内にて延設されている。前壁２２は、外観部である上部２２ａ及び非外観部である下部２２ｂからなる。上部２２ａは方形の平板状に構成され、上壁１１の前端から、下端を上端よりも若干前方に位置させるように若干傾斜して下方に延設されている。また、上部２２ａの下端の左右方向の幅は上部２２ａの上端の左右方向の幅よりも若干大きく、上部２２ａの下端の左右方向の両端は上部２２ａの上端の左右方向の両端よりも若干外側に位置する。下部２２ｂも方形の平板状に構成され、上部２２ａの下端から垂直かつ下方に延設されている。ただし、下部２２ｂの前後方向の厚さは上部２２ａの前後方向の厚さよりも若干薄く、下部２２ｂの前面は上部２２ａの下端の前面よりも若干後方に位置する。下部２２ｂの後面の前後方向位置は、上部２２ａの下端の後面の前後方向位置と同じである。また、下部２２ｂの横方向の幅は、上端から下端に渡って同じであるが、上部２２ａの下端の横方向の幅よりも若干小さい。
【００３７】
側壁２３，２４も、外観部である上部２３ａ，２４ａ及び非外観部である下部２３ｂ、２４ｂからそれぞれなる。上部２３ａ，２４ａは、それぞれ前後方向に長尺の平板状に構成され、上壁２１の左右両端から、下端を上端よりも若干外側に位置させるように若干傾斜して下方に延設されている。上部２３ａ，２４ａの上端の横方向の外端は上壁２１の横方向の外端に位置しており、上部２３ａ，２４ａの外面は前壁２２の上部２２ａの横方向の外面と一致している。下部２３ｂ，２４ｂもそれぞれ方形の平板状に構成され、上部２３ａ，２４ａの下端からそれぞれ垂直かつ下方に延設されている。下部２３ｂ，２４ｂは互いに平行である。ただし、下部２３ｂ，２４ｂの横方向の厚さは上部２３ａ，２４ａの横方向の厚さよりも若干薄く、下部２３ｂ，２４ｂの横方向外面は上部２３ａ，２４ａの下端の横方向外面よりも若干内側に位置する。下部２３ｂ，２４ｂの内側面の横方向位置は、上部２３ａ，２４ａの下端の内側面の横方向位置と同じである。なお、下部２３ｂ，２４ｂの横方向の厚さは、前壁２２の下部２２ｂの前後方向の厚さと同じである。下部２３ｂ，２４ｂは、前壁２２の下部２２ｂに直交して後方に延設されている。また、後壁２５の後面は、前後方向において、上壁２１の後端と同じ位置である。
【００３８】
後壁２５も、方形の平板状に構成され、上壁２１の後端から下方に延設されている。後壁２５の前後方向の厚さは、前壁２２の下部２２ｂの前後方向の厚さ及び側壁２３，２４の下部２３ｂ，２４ｂの横方向の厚さと同じである。このように構成された上壁２１、前壁２２、側壁２３，２４及び後壁２５は、内部に下方を開口させた方形状の空間を形成している。そして、非外観部である前壁２２の下部２２ｂ、側壁２３，２４の下部２３ｂ，２４ｂの上端は、外観部である上壁２１、前壁２２の上部２２ａ及び側壁２３，２４の上部２３ａ，２４ａの下端よりも黒鍵２０の内側に位置する。
【００３９】
後壁２５の後面には、前記白鍵１０のヒンジ部１６及び固定部１７と同様なヒンジ部２６及び固定部２７が設けられている。なお、この場合のヒンジ部２６及び固定部２７は、前記白鍵１０の場合よりも、若干低い位置にある。また、上壁２１の下面には、前記白鍵１０のアクチュエータ部１８と同様なアクチュエータ部２８が設けられている。側壁２３の下部２３ｂの上端部には、下部２３ｂの上端部の内面とアクチュエータ部２８の中間部の一外端とを連結する連結部２９が設けられている。この連結部２９も、前記白鍵１０の場合と同様に、後述する第２成形工程において、樹脂を上下金型４２Ａ，４２Ｂ内に注入した際に、側壁２３の下部２３ｂに対応する部分からアクチュエータ部２８に対応する部分に樹脂が流れ込むようにするための部分である。
【００４０】
次に、このように構成した複数の黒鍵２０を金型を用いて成形することについて説明する。まず、第１成形工程について、図面を用いて説明する。図８（Ａ）は、黒鍵２０の外観部である上壁２１、前壁２２の上部２２ａ及び側壁２３，２４の上部２３ａ，２４ａを成形するための第１成形工程における、黒鍵２０の前後方向に沿った上下金型４１Ａ，４１Ｂ及び黒鍵２０の一部の縦断面図である。図８（Ｂ）は、図８（Ａ）の８Ｂ−８Ｂ線に沿って見た上下金型４１Ａ，４１Ｂ及び黒鍵２０の一部の拡大縦断面図である。
【００４１】
図８（Ａ）及び図８（Ｂ）に示すように、上金型４１Ａ及び下金型４１Ｂ間に上壁２１、前壁２２の上部２２ａ及び側壁２３，２４の上部２３ａ，２４ａを一体成形するための空間を形成した上金型４１Ａ及び下金型４１Ｂを用意する。そして、上金型４１Ａに設けた注入口４１Ａ１を介して、樹脂を注入することにより、上金型４１Ａ及び下金型４１Ｂ内に上壁２１、前壁２２の上部２２ａ及び側壁２３，２４の上部２３ａ，２４ａを成形した後、上金型３１Ａ及び下金型３１Ｂを上下方向に抜き取って上壁２１、前壁２２の上部２２ａ及び側壁２３，２４の上部２３ａ，２４ａを取り出す。この場合も、注入口４１Ａ１は、図示位置でなくても、黒鍵２０を鍵盤楽器に組み付けた状態で見えない位置であれば、適宜箇所に設ければよい。また、注入される樹脂は硬度の比較的高い樹脂が用いられ、樹脂の色は黒鍵２０用の黒である。
【００４２】
、
次に、第２成形工程について、図面を用いて説明する。図９（Ａ）は、黒鍵２０の非外観部である前壁２２の下部２２ｂ、側壁２３，２４の下部２３ｂ，２４ｂ、後壁２５、ヒンジ部２６、固定部２７、アクチュエータ部２８及び連結部２９を成形するための第２成形工程における黒鍵２０の前後方向に沿った上下金型４２Ａ，４２Ｂ及び黒鍵２０の縦断面図である。図９（Ｂ）は、図９（Ａ）の９Ｂ−９Ｂ線に沿って見た上下金型４２Ａ，４２Ｂ及び黒鍵２０の拡大縦断面図である。なお、図９（Ａ）の縦断位置は、図６（Ａ）の７Ａ−７Ａ線に沿った縦断位置に対応している。
【００４３】
この第２成形工程においては、図９（Ａ）及び図９（Ｂ）に示すように、上金型４１Ａ及び下金型４１Ｂ間に、上壁２１、前壁２２の上部２２ａ及び側壁２３，２４の上部２３ａ，２４ａを含む黒鍵２０を一体成形するための空間を形成した上金型４２Ａ及び下金型４２Ｂを用意する。この場合、まず、下金型４２Ｂの上面内部に、前記第１成形工程で成形した上壁２１、前壁２２の上部２２ａ及び側壁２３，２４の上部２３ａ，２４ａからなる成形品を挿入すなわち組み込む。次に、上金型４２Ａを位置決めして下金型４２Ｂ上に固定する。そして、上金型４２Ａに設けた注入口４２Ａ１を介して、樹脂を注入することにより、上金型４２Ａ及び下金型４２Ｂ内に、上壁２１、前壁２２の上部２２ａ及び側壁２３，２４の上部２３ａ，２４ａ以外の前壁２２の下部２２ｂ、側壁２３，２４の下部２３ｂ，２４ｂ、後壁２５、ヒンジ部２６、固定部２７、アクチュエータ部２８及び連結部２９を形成した後、上金型４２Ａ及び下金型４２Ｂを上下方向に抜き取って黒鍵２０を取り出す。このインサート成形により、上壁２１、前壁２２の上部２２ａ及び側壁２３，２４の上部２３ａ，２４ａ以外の前壁２２の下部２２ｂ、側壁２３，２４の下部２３ｂ，２４ｂ、後壁２５、ヒンジ部２６、固定部２７、アクチュエータ部２８及び連結部２９が、前記第１成形工程で成形された上壁２１、前壁２２の上部２２ａ及び側壁２３，２４の上部２３ａ，２４ａと一体的に成形される。なお、この場合、アクチュエータ部２８は、注入した樹脂が側壁２３の下部２３ｂ及び連結部２９に対応した空間（図に表れていない空間）を介して、アクチュエータ部２８に対応した部分に流れ込むことにより形成される。
【００４４】
この場合も、注入口４２Ａ１は、図示位置でなくても、黒鍵２０を鍵盤楽器に組み付けた状態で見えない位置であれば、適宜箇所に設ければよい。また、この場合には、注入される樹脂の硬度は、前記第１成形工程で用いた樹脂の硬度よりも低く、比較的弾性に富んだ樹脂材料（例えば、ゴム成分の多いＡＢＳ材料、ゴム材料など）を用いるとよい。さらに、この場合の樹脂の色は、木製の鍵に似た色（例えば、茶色、黄色、黄茶色など）である。
【００４５】
前記実施形態による黒鍵２０においては、第１成形工程とインサート成形である第２成形工程により、黒鍵２０を一体成形したので、次のような効果が期待される。すなわち、第１成形工程では、後壁２５、ヒンジ部２６、固定部２７、アクチュエータ部２８及び連結部２９を成形しないので、樹脂の流れが単純になり、成形される外観部である上壁２１、前壁２２の上部２２ａ及び側壁２３，２４の上部２３ａ，２４ａには、ウエルドライン、フローマークなどが発生しなくなる。特に、黒鍵２０の奥から樹脂を注入した場合でも、上壁２１、前壁２２の上部２２ａ及び側壁２３，２４の上部２３ａ，２４ａの長さは短く、前壁２２の上部２２ａの横方向の幅も短いので、前壁にはウエルドラインが発生しない。また、内部にアクチュエータ部２８であるリブがあっても、前記リブによるヒケが上壁２１には発生しない点は前記白鍵１０の場合と同じである。また、非外観部である前壁２２の下部２２ｂ、側壁２３，２４の下部２３ｂ，２４ｂ、後壁２５、ヒンジ部２６、固定部２７、アクチュエータ部２８及び連結部２９を、インサート成形である第２成型工程で、上壁２１、前壁２２の上部２２ａ及び側壁２３，２４の上部２３ａ，２４ａと一体成形するようにしたので、前壁２２の下部２２ｂ、側壁２３，２４の下部２３ｂ，２４ｂ、後壁２５、ヒンジ部２６、固定部２７、アクチュエータ部２８及び連結部２９を、上壁２１、前壁２２の上部２２ａ及び側壁２３，２４の上部２３ａ，２４ａに取り付ける加工を行う必要がなく、簡単な方法で鍵盤楽器の黒鍵２０の外観を良好にすることができる。
【００４６】
また、前記実施形態による黒鍵２０では、非外観部である前壁２２の下部２２ｂの水平面内における外面位置を、外観部である前壁２２の上部２２ａの下端の水平面内における外面位置よりも内側に位置させるようにした。また、非外観部である側壁２３，２４の下部２３ｂ，２４ｂの水平面内における外面位置を、外観部である側壁２３，２４の上部２３ａ，２４ａの下端の水平面内における外面位置よりも内側に位置させるようにした。言い換えれば、少なくとも黒鍵２０の外観部と黒鍵２０の非外観部との接続位置における黒鍵２０の非外観部の外面位置を、前記接続位置における黒鍵２０の外観部の外面位置よりも内側にした。これにより、黒鍵２０の場合も、第２成形工程において、インサート成形による前壁２２の下部２２ｂ及び側壁２３，２４の下部２３ｂ，２４ｂの成形に多少の誤差があっても、前壁２２の下部２２ｂ及び側壁２３，２４の下部２３ｂ、２４ｂを削るなどの仕上げ加工を必要とせず、見栄えを良好に保つことができる。
【００４７】
さらに、黒鍵２０の場合も、白鍵１０の場合と同様に、第１成形工程で用いる樹脂の硬度を比較的高く、かつ第２成形工程で用いる樹脂の硬度を第１成形工程で用いた樹脂の硬度よりも低くした。したがって、黒鍵２０の場合も、白鍵１０の場合と同様に、前壁２２の下部２２ｂ及び側壁２３，２４の下部２３ｂ，２４ｂに制振機能を持たせて違和感のある音を抑制することができるとともに、ヒンジ部２６を弾性変形し易くして押鍵時における黒鍵２０のタッチ感を良好とすることができる。さらに、第２成形工程で用いる樹脂の色を、第１成形工程で用いられる黒色とは異なる木製の鍵に似た色（例えば、茶色、黄色、黄茶色など）とした。したがって、黒鍵２０の場合も、白鍵１０の場合と同様に、前壁２２の下部２２ｂ及び側壁２３，２４の下部２３ｂ、２４ｂは木材の色となり、木製の鍵と外観を同じにすることができる。
【００４８】
なお、上記した白鍵１０の成形においては、第１成形工程において白鍵１０の外観部を成形するとともに、第２成形工程において白鍵１０の非外観部を成形するようにした。しかし、これに代えて、第１成形工程において白鍵１０の非外観部を成形するとともに、第２成形工程において白鍵１０の外観部を成形するように変形してもよい。
【００４９】
、
まず、この変形例に係る第１成形工程について、図面を用いて説明する。図１０（Ａ）は、白鍵１０の非外観部である側壁１３，１４、後壁１５、ヒンジ部１６、固定部１７、アクチュエータ部１８及び連結部１９を成形するための第１成形工程における白鍵１０の前後方向に沿った上下金型３３Ａ，３３Ｂ及び白鍵１０の縦断面図である。図１０（Ｂ）は、図１０（Ａ）の１０Ｂ−１０Ｂ線に沿って見た上下金型３４Ａ，３４Ｂ及び白鍵１０の拡大縦断面図である。なお、図１０（Ａ）の縦断位置及び後述する図１１（Ａ）の縦断位置は、図２の３Ａ−３Ａ線に沿った縦断位置に対応している。
【００５０】
、
図１０（Ａ）及び図１０（Ｂ）に示すように、上金型３３Ａ及び下金型３３Ｂ間に白鍵１０の非外観部である側壁１３，１４、後壁１５、ヒンジ部１６、固定部１７、アクチュエータ部１８及び連結部１９を一体成形するための空間を形成した上金型３３Ａ及び下金型３３Ｂを用意する。そして、上金型３３Ａに設けた注入口３３Ａ１を介して、樹脂を注入することにより、側壁１３，１４、後壁１５、ヒンジ部１６、固定部１７、アクチュエータ部１８及び連結部１９を成形した後、上金型３３Ａ及び下金型３３Ｂを上下方向に抜き取って側壁１３，１４、後壁１５、ヒンジ部１６、固定部１７、アクチュエータ部１８及び連結部１９を取り出す。この場合も、注入口３３Ａ１は、図示位置でなくても、白鍵１０を鍵盤楽器に組み付けた状態で見えない位置であれば、適宜箇所に設ければよい。また、注入される樹脂は、図５（Ａ）（Ｂ）を用いて上述した白鍵１０の非外観部を形成するための第２成形工程で用いた樹脂が用いられる。なお、図１０（Ａ）（Ｂ）では明示されていないが、側壁１３，１４、後壁１５、ヒンジ部１６、固定部１７、アクチュエータ部１８及び連結部１９は全て連続している。
【００５１】
次に、第２成形工程においては、図１１（Ａ）及び図１１（Ｂ）に示すように、上金型３４Ａ及び下金型３４Ｂ間に、側壁１３，１４、後壁１５、ヒンジ部１６、固定部１７、アクチュエータ部１８及び連結部１９を含む白鍵１０を一体成形するための空間を形成した上金型３４Ａ及び下金型３４Ｂを用意する。この場合も、まず、下金型３４Ｂの上面内部に、前記第１成形工程で成形した側壁１３，１４、後壁１５、ヒンジ部１６、固定部１７、アクチュエータ部１８及び連結部１９からなる成形品を挿入すなわち組み込む。次に、上金型３４Ａを位置決めして下金型３４Ｂ上に固定する。そして、上金型３４Ａに設けた注入口３４Ａ１を介して、樹脂を注入することにより、上金型３４Ａ及び下金型３４Ｂ内に、側壁１３，１４、後壁１５、ヒンジ部１６、固定部１７、アクチュエータ部１８及び連結部１９以外の上壁１１及び前壁１２を形成した後、上金型３４Ａ及び下金型３４Ｂを上下方向に抜き取って白鍵１０を取り出す。このインサート成形により、上壁１１及び前壁１２が、前記第１成形工程で成形された側壁１３，１４、後壁１５、ヒンジ部１６、固定部１７、アクチュエータ部１８及び連結部１９と一体的に成形される。
【００５２】
この場合も、注入口３４Ａ１は、図示位置でなくても、白鍵１０を鍵盤楽器に組み付けた状態で見えない位置であれば、適宜箇所に設ければよい。また、この場合に注入される樹脂は、図４（Ａ）（Ｂ）を用いて上述した白鍵１０の外観部を形成するための第１成形工程で用いた樹脂が用いられる。このように白鍵１０を成形しても、白鍵１０の外観部と非外観部は別々に成形される。そして、他の点については、上記図４（Ａ）（Ｂ）及び図５（Ａ）（Ｂ）を用いて説明した白鍵１０の成形と同様であるので、上述した白鍵１０の成形の場合と同じ効果が期待される。
【００５３】
また、上記した黒鍵２０の成形においては、第１成形工程において黒鍵２０の外観部を成形するとともに、第２成形工程において黒鍵２０の非外観部を成形するようにした。しかし、これに代えて、第１成形工程において黒鍵２０の非外観部を成形するとともに、第２成形工程において黒鍵２０の外観部を成形するように変形してもよい。
【００５４】
、
まず、この変形例に係る第１成形工程について、図面を用いて説明する。図１２（Ａ）は、黒鍵２０の非外観部である前壁２２の下部２２ｂ、側壁２３，２４の下部２３ｂ，２４ｂ、後壁２５、ヒンジ部２６、固定部２７、アクチュエータ部２８及び連結部２９を成形するための第１成形工程における黒鍵２０の前後方向に沿った上下金型４３Ａ，４３Ｂ及び黒鍵２０の縦断面図である。図１２（Ｂ）は、図１２（Ａ）の１２Ｂ−１２Ｂ線に沿って見た上下金型４３Ａ，４３Ｂ及び黒鍵２０の拡大縦断面図である。なお、図１２（Ａ）の縦断位置及び後述する図１３（Ａ）の縦断位置は、図６の７Ａ−７Ａ線に沿った縦断位置に対応している。
【００５５】
、
図１２（Ａ）及び図１２（Ｂ）に示すように、上金型４３Ａ及び下金型４３Ｂ間に黒鍵２０の非外観部である前壁２２の下部２２ｂ、側壁２３，２４の下部２３ｂ，２４ｂ、後壁２５、ヒンジ部２６、固定部２７、アクチュエータ部２８及び連結部２９を一体成形するための空間を形成した上金型４３Ａ及び下金型４３Ｂを用意する。そして、上金型４３Ａに設けた注入口４３Ａ１を介して、樹脂を注入することにより、前壁２２の下部２２ｂ、側壁２３，２４の下部２３ｂ，２４ｂ、後壁２５、ヒンジ部２６、固定部２７、アクチュエータ部２８及び連結部２９を成形した後、上金型４３Ａ及び下金型４３Ｂを上下方向に抜き取って前壁２２の下部２２ｂ、側壁２３，２４の下部２３ｂ，２４ｂ、後壁２５、ヒンジ部２６、固定部２７、アクチュエータ部２８及び連結部２９を取り出す。この場合も、注入口４３Ａ１は、図示位置でなくても、黒鍵２０を鍵盤楽器に組み付けた状態で見えない位置であれば、適宜箇所に設ければよい。また、注入される樹脂は、図９（Ａ）（Ｂ）を用いて上述した黒鍵２０の非外観部を形成するための第２成形工程で用いた樹脂が用いられる。なお、図１２（Ａ）（Ｂ）では明示されていないが、前壁２２の下部２２ｂ、側壁２３，２４の下部２３ｂ，２４ｂ、後壁２５、ヒンジ部２６、固定部２７、アクチュエータ部２８及び連結部２９は全て連続している。
【００５６】
次に、第２成形工程においては、図１３（Ａ）及び図１３（Ｂ）に示すように、上金型４４Ａ及び下金型４４Ｂ間に、前壁２２の下部２２ｂ、側壁２３，２４の下部２３ｂ，２４ｂ、後壁２５、ヒンジ部２６、固定部２７、アクチュエータ部２８及び連結部２９を含む黒鍵２０を一体成形するための空間を形成した上金型４４Ａ及び下金型４４Ｂを用意する。この場合も、まず、下金型４４Ｂの上面内部に、前記第１成形工程で成形した前壁２２の下部２２ｂ、側壁２３，２４の下部２３ｂ，２４ｂ、後壁２５、ヒンジ部２６、固定部２７、アクチュエータ部２８及び連結部２９からなる成形品を挿入すなわち組み込む。次に、上金型４４Ａを位置決めして下金型４４Ｂ上に固定する。そして、上金型４４Ａに設けた注入口４４Ａ１を介して、樹脂を注入することにより、上金型４４Ａ及び下金型４４Ｂ内に、前壁２２の下部２２ｂ、側壁２３，２４の下部２３ｂ，２４ｂ、後壁２５、ヒンジ部２６、固定部２７、アクチュエータ部２８及び連結部２９以外の上壁２１、前壁２２の上部２２ａ及び側壁２３，２４の上部２３ａ，２４ａを形成した後、上金型４４Ａ及び下金型４４Ｂを上下方向に抜き取って黒鍵２０を取り出す。このインサート成形により、上壁２１、前壁２２の上部２２ａ及び側壁２３，２４の上部２３ａ，２４ａが、前記第１成形工程で成形された前壁２２の下部２２ｂ、側壁２３，２４の下部２３ｂ，２４ｂ、後壁２５、ヒンジ部２６、固定部２７、アクチュエータ部２８及び連結部２９と一体的に成形される。
【００５７】
この場合も、注入口４４Ａ１は、図示位置でなくても、黒鍵２０を鍵盤楽器に組み付けた状態で見えない位置であれば、適宜箇所に設ければよい。また、この場合に注入される樹脂は、図８（Ａ）（Ｂ）を用いて上述した黒鍵２０の外観部を形成するための第１成形工程で用いた樹脂が用いられる。このように黒鍵２０を成形しても、黒鍵２０の外観部と非外観部は別々に成形される。そして、他の点については、上記図８（Ａ）（Ｂ）及び図９（Ａ）（Ｂ）を用いて説明した黒鍵２０の成形と同様であるので、上述した黒鍵２０の成形の場合と同じ効果が期待される。
【００５８】
また、上記実施形態による白鍵１０においては、押鍵時における白鍵１０の揺動を許容するために、一枚のヒンジ部１６を設けるようにしたが、このヒンジ部１６を一対のヒンジ部材１６ａ，１６ｂで構成したマルチリンク機構に変更しても、本発明は適用される。この変形例に係る白鍵１０について図面を用いて説明すると、図１４（Ａ）はこの変形例に係る白鍵１０の図３（Ａ）に対応した縦断面図であり、図１４（Ｂ）は図１４（Ａ）のＡ部の拡大縦断面図であり、図１４（Ｃ）は図１４（Ａ）のＡ部の拡大平面図である。
【００５９】
この変形例においては、ヒンジ部材１６ａ，１６ｂは共に長尺状かつ上下方向に薄肉に形成された平板状部材であり、ヒンジ部材１６ａ，１６ｂの横方向の幅は白鍵１０の後壁１５の横方向の幅の１／２よりも小さい。ヒンジ部材１６ａは、後壁１５の左側に配置され、その前端が後壁１５の上端部に接続されるとともに、その後端が固定部１７の上部に接続されている。ヒンジ部材１６ｂは、後壁１５の右側に配置され、その前端が後壁１５の中間部に接続されるとともに、その後端が固定部１７の下端部に接続されている。両ヒンジ部材１６ａ，１６ｂは、上下方向の型抜きによる型成形のために、上下方向において重なっていない。
【００６０】
ヒンジ部材１６ａの前端部及び後端部の下面には、縦断面形状を半円形とする溝１６ａ１がそれぞれ左右方向に沿って設けられている。ヒンジ部材１６ｂの前端部及び後端部の下面には、縦断面形状を半円形とする溝１６ｂ１がそれぞれ左右方向に沿って設けられている。他の構成は、上記実施形態と同様であるので、同一の符号を付してその説明を省略する。また、この変形例に係る白鍵１０においても、上記図４（Ａ）（Ｂ）及び図５（Ａ）（Ｂ）に示した第１及び第２成形工程を経て成形される。第１成形工程においては、上記実施形態の第１成形工程と全く同じようにして、上壁１１及び前壁１２が成形される。第２成形工程においても、上記実施形態の第２成形工程と同様なインサート成形により、側壁１３，１４、後壁１５、ヒンジ部１６（ヒンジ部材１６ａ，１６ｂ）、固定部１７及びアクチュエータ部１８が成形される。ただし、ヒンジ部１６がヒンジ部材１６ａ，１６ｂで構成されているので、成形のための上下金型の形状は上記実施形態の上下金型３２Ａ，３２Ｂの形状とは異なり、ヒンジ部材１６ａ，１６ｂが成形されるような形状を有する。さらに、第１及び第２成形工程で用いられる樹脂も、上記実施形態の場合と同じである。
【００６１】
このような変形例に係る白鍵１０においても、上記実施形態と同様な効果が期待される。また、この変形例に係る白鍵１０においては、ヒンジ部材１６ａ，１６ｂを用いたマルチリンク機構により、押鍵時における白鍵１０の搖動支点は上記実施形態の場合に比べて実質的に後方に位置して、ヒンジ部１６（ヒンジ部材１６ａ，１６ｂ）の曲げ角度が上記実施形態の場合に比べてさらに大きくなる。しかし、この場合も、第２成形工程において用いられる樹脂の硬度は、第１成形工程で用いられる樹脂の硬度よりも低いので、押鍵時における白鍵１０のタッチ感は重くなることはなく、白鍵１０のタッチ感は良好に保たれる。なお、前述のようにヒンジ部１６（ヒンジ部材１６ａ，１６ｂ）の曲げ角度が上記実施形態の場合に比べて大きくなるので、第２成形工程で用いられる樹脂の硬度を上記実施形態の場合に比べてさらに低くするとよい。
【００６２】
なお、この変形例に係るヒンジ部１６（ヒンジ部材１６ａ，１６ｂ）は、上記実施形態の黒鍵２０にも適用され得る。また、この変形例に係るヒンジ部１６（ヒンジ部材１６ａ，１６ｂ）を有する白鍵１０及び黒鍵２０を、上記図１０（Ａ）（Ｂ）、図１１（Ａ）（Ｂ）、図１２（Ａ）（Ｂ）及び図１３（Ａ）（Ｂ）に示した変形例による成形方法を用いて成形するようにしてもよい。
【００６３】
また、上記実施形態及び変形例においては、第１及び第２グループ１０Ａ，１０Ｂに属する複数の白鍵１０と、第３グループ２０Ａに属する複数の黒鍵２０とをそれぞれ同時に成形する例について説明したが、複数の白鍵１０及び黒鍵２０をそれぞれ独立に成形する場合にも本発明は適用される。また、ヒンジ部１６，２６及び固定部１７，２７を有しない白鍵１０及び黒鍵２０にも本発明は適用される。そして、この場合には、例えば、複数の白鍵１０及び黒鍵２０をそれぞれ独立に成形するとともに、各白鍵１０及び黒鍵２０の後端部の両側壁に貫通孔又は突起を設けて、鍵フレームに設けた支持部に回転可能に前記貫通孔又は突起を係合させて、白鍵１０及び黒鍵２０の前端部を上下方向に搖動可能に支持させるようにする。また、この場合には、別途設けたスプリング、ハンマーなどにより、白鍵１０及び黒鍵２０が離鍵状態に復帰するための力を鍵に付与するようにする。
【００６４】
また、上記実施形態及び変形例では、白鍵１０及び黒鍵２０の非外観部を成形する際に用いられる樹脂の色を木材の色にするようにした。しかし、これに代えて、前記非外観部を成形する際に用いられる樹脂の色を、第１成形工程で用いられる樹脂の色と同じにしたり、上記第１及び第２成形工程で用いられる樹脂の色とはさらに異なる色（例えば、赤色、青色など）にしたりしてもよい。そして、前記異なる色にすることにより、側壁１３，１４の色を上壁１１及び前壁１２と異ならせたり、前壁２２の下部及び側壁２３，２４の下部の色を上壁２１、前壁２２の上部２２ａ及び側壁２３，２４の上部２３ａ，２４ａと異ならせたりして、美的に変化に富んだ鍵盤楽器の白鍵１０及び黒鍵２０が成形される。
【００６５】
さらに、上記実施形態及び変形例では、側壁１３，１４、前壁２２の下部２２ｂ及び側壁２３，２４の下部２３ｂ，２４ｂに制振機能を持たせるとともに、ヒンジ部１６，２６を弾性変形し易くするために、白鍵１０及び黒鍵２０の非外観部を成形する際に用いられる樹脂の硬度を、白鍵１０及び黒鍵２０の外観部を成形する際に用いられる樹脂の硬度に比べて低くした。しかし、前記側壁１３，１４、前壁２２の下部２２ｂ及び側壁２３，２４の下部２３ｂ，２４ｂの制振機能、並びにヒンジ部１６，２６の弾性力を持たせる必要がない場合には、前記外観部及び非外観部を成形する際に用いられる樹脂の硬度を同じにしてもよい。
【符号の説明】
【００６６】
１０…白鍵、２０…黒鍵、１１，２１…上壁、１２，２２…前壁、２２ａ…前壁の上部、２２ｂ…前壁の下部、１３，１４，２３，２４…側壁、２３ａ，２４ａ…側壁の上部、２３ｂ，２４ｂ…側壁の下部、１５，２５…後壁、１６，２６…ヒンジ部、１６ａ，１６ｂ…ヒンジ部材、１７，２７…固定部、１８，２８…アクチュエータ部、３１Ａ〜３４Ａ，４１Ａ〜４４Ａ…上金型、３１Ｂ〜３４Ｂ，４１Ｂ〜４４Ｂ…下金型
【図１】
2015203762.tif 000003
【図２】
2015203762.tif 000004
【図３】
2015203762.tif 000005
【図４】
2015203762.tif 000006
【図５】
2015203762.tif 000007
【図６】
2015203762.tif 000008
【図７】
2015203762.tif 000009
【図８】
2015203762.tif 000010
【図９】
2015203762.tif 000011
【図１０】
2015203762.tif 000012
【図１１】
2015203762.tif 000013
【図１２】
2015203762.tif 000014
【図１３】
2015203762.tif 000015
【図１４】
2015203762.tif 000016